【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
単位フレーム期間内に、入力映像信号に含まれる黒帯領域を検出する黒帯検出手段と、
前記黒帯検出手段の検出結果を基に、前記入力映像信号のアスペクト比を保ちつつ、入力映像信号の拡大または縮小の比率を算出する演算手段と、
前記演算手段により求められた比率に基づいて、前記入力映像信号を拡大または縮小する拡大縮小手段と
を備えた映像信号処理装置。
【請求項２】
前記拡大縮小手段は、前記入力映像信号が表示装置の画面全体に表示されるように拡大または縮小を行う
請求項１に記載の映像信号処理装置。
【請求項３】
前記演算手段は、入力映像信号の切り替わりに追従して前記比率を再計算する
請求項１に記載の映像信号処理装置。
【請求項４】
前記拡大縮小手段は、検出された黒帯領域に含まれる字幕が欠落しないように拡大または縮小を行う
請求項１に記載の映像信号処理装置。
【請求項５】
前記字幕が欠落しないように拡大または縮小された映像信号に対して表示位置調整を行う調整手段を備えた
請求項４に記載の映像信号処理装置。
【請求項６】
前記入力映像信号のうちの指定された計測領域について、前記単位フレーム期間内に、設定されたしきい値未満の信号レベルか否かを画素ごとに計測する計測手段を備え、
前記黒帯検出手段は、前記計測手段の計測結果に基づいて前記黒帯領域を検出する
請求項１に記載の映像信号処理装置。
【請求項７】
前記黒帯検出手段は、前記計測領域の端辺から連続して存在するしきい値未満の画素の画素数を検出すると共に、この検出処理を前記計測領域の端辺に沿って行い、検出された画素数のうちの最小値をもって黒帯領域の幅と判定する
請求項６に記載の映像信号処理装置。
【請求項８】
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段と
を備え、
前記増減幅設定手段は、前回の増減幅の２分の１を新たな増減幅として設定し直し、
前記計測領域設定手段は、前記黒帯検出手段によって黒帯領域と映像領域との境界が検出されたか否かに応じて、選択的に前回の計測領域に対して前記新たな増減幅の加減算を行うことにより、新たな計測領域を設定し直し、
前記計測手段は、新たな計測領域について計測を行う
請求項６に記載の映像信号処理装置。
【請求項９】
前記計測手段は、前記計測領域における水平方向および垂直方向の２方向について並行して計測を行う
請求項８に記載の映像信号処理装置。
【請求項１０】
単位フレーム期間内に、入力映像信号に含まれる黒帯領域を検出する黒帯検出手段と、  前記黒帯検出手段の検出結果を基に、前記入力映像信号のアスペクト比を保ちつつ、入力映像信号の拡大または縮小の比率を算出する演算手段と、
前記演算手段により求められた比率に基づいて、前記入力映像信号を拡大または縮小する拡大縮小手段と、
拡大または縮小された映像信号を基に映像表示を行う表示手段と
を備えた映像表示装置。
【請求項１１】
前記入力映像信号のうちの指定された計測領域について、前記単位フレーム期間内に、設定されたしきい値未満の信号レベルか否かを画素ごとに計測する計測手段を備え、
前記黒帯検出手段は、前記計測手段の計測結果に基づいて前記黒帯領域を検出する
請求項１０に記載の映像表示装置。
【請求項１２】
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段と
を備え、
前記増減幅設定手段は、前回の増減幅の２分の１を新たな増減幅として設定し直し、
前記計測領域設定手段は、前記黒帯検出手段によって黒帯領域と映像領域との境界が検出されたか否かに応じて、選択的に前回の計測領域に対して前記新たな増減幅の加減算を行うことにより、新たな計測領域を設定し直し、
前記計測手段は、新たな計測領域について計測を行う
請求項１０に記載の映像表示装置。
【請求項１３】
単位フレーム期間内に、入力映像信号に含まれる黒帯領域を検出し、
前記黒帯領域の検出結果を基に、前記入力映像信号のアスペクト比を保ちつつ、入力映像信号の拡大または縮小の比率を算出し、
求められた比率に基づいて前記入力映像信号を拡大または縮小し、
拡大または縮小された映像信号を基に映像表示を行う
映像表示方法。
【手続補正２】
【補正対象書類名】明細書
【補正対象項目名】０００９
【補正方法】変更
【補正の内容】
【０００９】
本発明の映像信号処理装置は、単位フレーム期間内に入力映像信号に含まれる黒帯領域を検出する黒帯検出手段と、この黒帯検出手段の検出結果を基に、入力映像信号のアスペクト比を保ちつつ、入力映像信号の拡大または縮小の比率を算出する演算手段と、この演算手段により求められた比率に基づいて入力映像信号を拡大または縮小する拡大縮小手段とを備えたものである。
【手続補正３】
【補正対象書類名】明細書
【補正対象項目名】００１２
【補正方法】変更
【補正の内容】
【００１２】
本発明の映像表示方法は、単位フレーム期間内に入力映像信号に含まれる黒帯領域を検出し、この黒帯領域の検出結果を基に、入力映像信号のアスペクト比を保ちつつ、入力映像信号の拡大または縮小の比率を算出し、求められた比率に基づいて入力映像信号を拡大または縮小し、拡大または縮小された映像信号を基に映像表示を行うようにしたものである。
【手続補正４】
【補正対象書類名】明細書
【補正対象項目名】００１３
【補正方法】変更
【補正の内容】
【００１３】
本発明の映像信号処理装置、映像表示装置および映像表示方法では、単位フレーム期間内に、入力映像信号に含まれる黒帯領域が検出される。また、この黒帯領域の検出結果を基に、入力映像信号のアスペクト比を保ちつつ、入力映像信号の拡大または縮小を行うための比率が算出される。そして求められた比率に基づいて、入力映像信号が拡大または縮小される。
【手続補正５】
【補正対象書類名】明細書
【補正対象項目名】００１４
【補正方法】変更
【補正の内容】
【００１４】
本発明の映像信号処理装置、映像表示装置または映像表示方法によれば、単位フレーム期間内に入力映像信号に含まれる黒帯領域を検出すると共に、この黒帯領域の検出結果を基に、入力映像信号のアスペクト比を保ちつつ入力映像信号の拡大または縮小の比率を算出し、求められた比率に基づいて入力映像信号を拡大または縮小するようにしたので、入力映像信号に含まれる黒帯領域をより短時間に検出すると共に、映像表示を見やすくすることが可能となる。
【手続補正６】
【補正対象書類名】明細書
【補正対象項目名】００２７
【補正方法】変更
【補正の内容】
【００２７】
図３（Ａ），（Ｂ）は、入力映像信号６に黒帯領域が含まれる場合の各領域を模式的に表したものである。図３（Ａ）は、映像領域６２の上下に黒帯領域６１Ａ，６１Ｂが設けられたものであり、例えばシネマスコープサイズの映像信号などが該当する。また、黒帯領域６１Ａ内にはＯＳＤ（On Screen Display）６３Ａが挿入され、黒帯領域６１Ｂ内には字幕６３Ｂが挿入されている。また、これら映像領域６２および黒帯領域６１Ａ，６１Ｂの周囲には、ブランキング領域６０が設けられている。一方、図３（Ｂ）は、映像領域６６の左右に黒帯領域６５Ａ，６５Ｂが設けられたものであり、例えばサイドパネルの映像信号などが該当する。また、これら映像領域６６および黒帯領域６５Ａ，６５Ｂの周囲にも、ブランキング領域６０が設けられている。なお、ＯＳＤや字幕は黒帯領域に挿入されている場合と挿入されていない場合があり、挿入されている場合においても、上下または左右の黒帯領域のどちらか一方または両方に挿入される場合がある。
【手続補正７】
【補正対象書類名】明細書
【補正対象項目名】００３５
【補正方法】変更
【補正の内容】
【００３５】
再検出回数設定部２３５は、後述する検出判定部２３７において黒帯領域を最終的に特定する際の再検出回数を設定するものである。この再検出回数は、０以上の整数で表される。また、下限値設定部２３６は、信号種別判別部２１による信号種別判別結果Ｓoutに応じて、境界判定部２３４によって判定された黒帯領域の境界から算出された映像領域６２の水平幅または垂直幅の下限値を設定するものである。映像領域６２の垂直幅の場合、例えば図６に示した垂直幅６２Ｖのように表され、これに下限値を設定することにより、暗いシーン等での誤検出（図６では、入力映像信号６中に黒帯領域が存在せず、映像領域６２による暗いシーン等が表されている場合を示している）を防止するようになっている。
【手続補正８】
【補正対象書類名】明細書
【補正対象項目名】００４０
【補正方法】変更
【補正の内容】
【００４０】
ドライバ４２は、マトリクス回路４１から出力されるＲＧＢ信号（Ｒout，Ｇout，Ｂout）に基づいて表示部５に対する駆動信号を生成し、この駆動信号を表示部５へ出力するものである。
【手続補正９】
【補正対象書類名】明細書
【補正対象項目名】００４５
【補正方法】変更
【補正の内容】
【００４５】
ここで、黒帯検出部２では、入力映像信号であるＹＵＶ信号（Ｙin，Ｕin，Ｖin）に含まれる黒帯領域が検出される。具体的には、輝度信号Ｙinに基づいて黒帯領域が検出され、検出結果Ｋoutが画像処理部３へ出力される。より具体的には、計測部２２において、入力映像信号のうちの指令された計測領域について、単位フレーム期間内に画素ごとに、輝度信号Ｙinがしきい値Ｖｔ未満の信号レベルか否かが計測され、検出部２３において、計測部２２による水平バックポーチ長Ｈｂｐ、水平フロントポーチ長Ｈｆｐ、垂直バックポーチ長Ｖｂｐおよび垂直フロントポーチ長Ｖｆｐの計測結果、ならびに信号種別判別部２１による信号種別判別結果Ｓoutに基づいて、入力映像信号６に含まれる黒帯領域が検出され、その黒帯検出結果Ｋoutが画像処理部３へ出力される。
【手続補正１０】
【補正対象書類名】明細書
【補正対象項目名】００６７
【補正方法】変更
【補正の内容】
【００６７】
次に、タイミングｔ３４〜ｔ３５の１水平期間内で水平アクティブ信号Ｈ_actが「Ｌ」レベルに固定されていると、水平同期信号Ｈｓｙｎｃの次の立ち上がりエッジであるタイミングｔ３５において、垂直アクティブ信号Ｖ_actが「Ｌ」レベルへ戻る。すると、このタイミングｔ３５以降（タイミングｔ３５，ｔ３６，…）、垂直フロントポーチ用カウンタ出力Ｖfp_cntの値が１ずつ増加していくようになる。
【手続補正１１】
【補正対象書類名】明細書
【補正対象項目名】００７５
【補正方法】変更
【補正の内容】
【００７５】
この黒帯検出処理では、最初に黒帯検出開始処理が行われる（ステップＳ１１）。
【手続補正１２】
【補正対象書類名】明細書
【補正対象項目名】００８５
【補正方法】変更
【補正の内容】
【００８５】
次に、ステップＳ１２６と同様にして、黒帯判定部２３０が、計測結果Ｍoutに基づいて計測領域６４Ｂ内に黒帯領域のみが存在するのか否かを判断する（図１７のステップＳ１２９）。黒帯領域のみではないと判断された場合には（ステップＳ１２９：Ｎ）、ステップＳ１２７と同様にして、前回の計測領域の終了位置から新たな増減幅分だけ減算することにより、新たな計測領域を再設定する（ステップＳ１３０）。一方、黒帯領域のみであると判断された場合には（ステップＳ１２９：Ｙ）、ステップＳ１２８と同様にして、前回の計測領域の終了位置から新たな増減幅分だけ加算することにより、新たな計測領域を再設定する（ステップＳ１３１）。
【手続補正１３】
【補正対象書類名】明細書
【補正対象項目名】００９４
【補正方法】変更
【補正の内容】
【００９４】
下限値未満であると判断された場合（ステップＳ１６２：Ｎ）、映像領域６２が暗いシーン等であるためだと判断し、黒帯領域の誤検出を防ぐため、黒帯領域の検出回数カウンタの値をリセットして０にする（ステップＳ１６３）。そして黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って黒帯検出処理を最初からやり直すこととなる。
【手続補正１４】
【補正対象書類名】明細書
【補正対象項目名】００９５
【補正方法】変更
【補正の内容】
【００９５】
一方、下限値以上であると判断された場合（ステップＳ１６２：Ｙ）、次に検出判定部２３７は、（検出回数カウンタの値＝０）かつ（再検出回数設定部２３５により設定された再検出回数≠０）という条件式を満たすか否かを判断する（ステップＳ１６４）。この条件式を満たすと判断された場合（ステップＳ１６４：Ｙ）、最初の黒帯検出であり前回の検出結果と比較することはできないので、そのまま検出した２つ（上下または左右）の黒帯領域の境界位置と映像領域６２の幅とを保持する（ステップＳ１６５）と共に、検出回数カウンタの値を１増加させることにより、黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って再度黒帯検出処理を行うこととなる。
【手続補正１５】
【補正対象書類名】明細書
【補正対象項目名】００９７
【補正方法】変更
【補正の内容】
【００９７】
また、ステップＳ１７０において黒帯検出が確定済みであると判断された場合（ステップＳ１７０：Ｙ）、次に検出判定部２３７は、黒帯領域の幅が変化しているか否かを判断すると共に、変化している場合には２つの黒帯検出領域の幅のうちどちらか一方のみが大きく変化しているかどうかを判断する（ステップＳ１７１）。一方のみが大きく変化している場合（ステップＳ１７１：Ｙ）、映像領域６２が暗いシーン等であるためだと判断し、黒帯領域の誤検出を防ぐため、黒帯領域の検出回数カウンタの値をリセットして０にする（ステップＳ１６３）ことにより、黒帯検出結果Ｋoutを出力せずに黒帯検出判定処理が終了となる（「リターン」）。一方、一方のみが大きく変化しているわけではないと判断された場合（ステップＳ１７１：Ｎ）、ステップＳ１７２へと進み、黒帯検出結果Ｋoutを出力して（ステップＳ１７２）黒帯領域の検出回数カウンタの値を０にする（ステップＳ１６３）ことにより、黒帯検出判定処理が終了となる（「リターン」）。
【手続補正１６】
【補正対象書類名】明細書
【補正対象項目名】０１００
【補正方法】変更
【補正の内容】
【０１００】
以上のようにして黒帯検出判定処理が終了すると、ステップＳ１８において黒帯検出処理全体を終了するか否かが判断され、終了しない場合（ステップＳ１８：Ｎ）にはステップＳ１１〜Ｓ１６の処理を繰り返し、終了する場合には（ステップＳ１８：Ｙ）、黒帯検出処理全体が終了する。
【手続補正１７】
【補正対象書類名】明細書
【補正対象項目名】０１０７
【補正方法】変更
【補正の内容】
【０１０７】
さらに、例えば図２５（Ｃ）に示したように、計測領域６４Ｂ内には映像領域６２が存在しないが（黒帯領域６１Ａのみが存在する）、黒帯領域６１Ａ内に字幕６３Ｂが存在する場合には、測定結果による水平バックポーチ長Ｈｂｐおよび水平フロントポーチ長Ｈｆｐが、予め設定された水平バックポーチ長Ｈｂｐ０および水平フロントポーチ長Ｈｆｐ０と比べて大きいため、基本的にはまず映像領域６２が存在しないと判断する。字幕６３Ｂの領域を含めて映像領域が存在すると判断すると、後述するアスペクト比の調整の際に誤った調整がなされてしまうことになるからである。ただし、字幕６３Ｂが欠落しないようにするため、測定結果による水平バックポーチ長Ｈｂｐおよび水平フロントポーチ長Ｈｆｐに加え、測定結果による垂直バックポーチ長Ｖｂｐや垂直フロントポーチ長Ｖｆｐを用いて（図２５（Ｃ）の場合、垂直バックポーチ長Ｖｂｐを用いて）、字幕６３Ｂの位置を求めるようにする。なお、字幕６３Ｂは単位フレームによって表示されたりされなかったりするので、黒帯検出処理によって検出が確定するまでの間で垂直バックポーチ長Ｖｂｐや垂直フロントポーチ長Ｖｆｐが一番小さくなった値を、字幕６３Ｂの位置とするようになっている。
【手続補正１８】
【補正対象書類名】図面
【補正対象項目名】図２
【補正方法】変更
【補正の内容】
【図２】
2007329699.tif 000001
【手続補正１９】
【補正対象書類名】図面
【補正対象項目名】図１６
【補正方法】変更
【補正の内容】
【図１６】
2007329699.tif 000002
【手続補正２０】
【補正対象書類名】図面
【補正対象項目名】図１９
【補正方法】変更
【補正の内容】
【図１９】
2007329699.tif 000003
【手続補正２１】
【補正対象書類名】図面
【補正対象項目名】図２０
【補正方法】変更
【補正の内容】
【図２０】
2007329699.tif 000004